(57)【特許請求の範囲】
【請求項１】
ディスクを装置内に出し入れするディスク挿入排出口近傍に目隠し用の布部材が設けられ、この布部材に、ディスクを挿通させるためのディスク挿通用スリットが、前記排出口の長手方向に沿って設けられたディスクドライブ装置において、
前記ディスク挿通用スリットに直交する方向にスリットを複数設け、前記複数のスリットは、前記ディスク挿通用スリットを横切るように形成したことを特徴とするディスクドライブ装置。
【請求項２】
ディスクを装置内に出し入れするディスク挿入排出口を設けたディスクドライブ装置において、
前記ディスクに対向するように、前記ディスク挿入排出口の縁部に、凸部を設け、前記ディスクの挿入又は排出時に、前記ディスクが正規の位置からずれた場合に、前記凸部に前記ディスクが当接するように構成したことを特徴とするディスクドライブ装置。
【請求項３】
前記凸部は、前記ディスクのデータ面の一部にのみ当接することを特徴とする請求項２記載のディスクドライブ装置。
【請求項４】
ディスクを装置内に出し入れするディスク挿入排出口を設けたディスクドライブ装置において、
前記ディスクに対向するように、前記ディスク挿入排出口の縁部近傍に、回転可能なローラを設け、前記ディスクの挿入又は排出時に、前記ディスクが正規の位置からずれた場合に、前記ローラは、前記ディスクの一部にのみ当接するように構成したことを特徴とするディスクドライブ装置。
【請求項５】
前記ローラは、前記ディスクのデータ面の一部にのみ当接することを特徴とする請求項４記載のディスクドライブ装置。
【請求項６】
ディスクを装置内に出し入れするディスク挿入排出口近傍に目隠し用の布部材が設けられ、この布部材に、ディスクを挿通させるためのディスク挿通用スリットが、前記排出口の長手方向に沿って設けられた情報処理装置において、
前記ディスク挿通用スリットに直交する方向にスリットを複数設け、前記複数のスリットは、前記ディスク挿通用スリットを横切るように形成したことを特徴とする情報処理装置。
【請求項７】
ディスクを装置内に出し入れするディスク挿入排出口を設けた情報処理装置において、
前記ディスクに対向するように、前記ディスク挿入排出口の縁部に、凸部を設け、前記ディスクの挿入又は排出時に、前記ディスクが正規の位置からずれた場合に、前記凸部に前記ディスクが当接するように構成したことを特徴とする情報処理装置。
【請求項８】
ディスクを装置内に出し入れするディスク挿入排出口を設けた情報処理装置において、
前記ディスクに対向するように、前記ディスク挿入排出口の縁部近傍に、ローラを設け、前記ディスクの挿入又は排出時に、前記ディスクが正規の位置からずれた場合に、前記ローラは、前記ディスクの一部にのみ当接するように構成したことを特徴とする情報処理装置。
【発明の詳細な説明】
【０００１】
【発明の属する技術分野】
本発明は、ディスクドライブ装置及び情報処理装置に係わり、特に、ＤＶＤ−ＲＯＭディスク等のディスクの挿入排出を容易にしたディスクドライブ装置及びこれを用いた情報処理装置に関する。
【０００２】
【従来の技術】
従来より、情報処理装置では、自動挿入排出可能なＤＶＤ−ＲＯＭドライブ装置を採用する場合が多く、このＤＶＤ−ＲＯＭドライブ装置のディスク挿入排出口には、製造メーカ独自のドライブ装置用のパネルを実装している場合が多い。
【０００３】
従来の自動挿入排出可能なＤＶＤ−ＲＯＭドライブ装置に、外円周端の仕上げが非常に粗く、縁にざらつきの残るような新しい媒体を挿入した場合、このディスクが、ディスク挿入排出口近傍に設けたゴミ侵入防止・目隠し用のフェルトのスリットを押し開いて通る際に、ＤＶＤ−ＲＯＭドライブ装置の媒体排出力よりもディスクとフェルトとのひっかかり抵抗が大きくなる場合があり、このような場合、ディスクが排出せずに再度ドライブ装置内に戻ったり、途中で停止するという不具合があった。
【０００４】
また、ディスクをドライブ装置から排出する際、手で引き抜くと、ディスクデータ面が挿入排出口に接触して、擦り傷がつき、データを読み込めなくなるという不具合もあった。
【０００５】
【発明が解決しようとする課題】
本発明の目的は、上記した従来技術の問題点を改良し、ディスクを装置内に挿入したり、又は、排出する際の異常な動作をなくすようした新規なディスクドライブ装置又は情報処理装置を提供するものである。
【０００６】
本発明の他の目的は、ディスクを装置内に挿入したり、又は、排出する際、ディスクに傷が付かないようにした新規なディスクドライブ装置又は情報処理装置を提供するものである。
【０００７】
【課題を解決するための手段】
本発明は上記した目的を達成するため、基本的には、以下に記載されたような技術構成を採用するものである。
【０００８】
即ち、本発明に係わるディスクドライブ装置の第１態様は、
ディスクを装置内に出し入れするディスク挿入排出口近傍に目隠し用の布部材が設けられ、この布部材に、ディスクを挿通させるためのディスク挿通用スリットが、前記排出口の長手方向に沿って設けられたディスクドライブ装置において、
前記ディスク挿通用スリットに直交する方向にスリットを複数設け、前記複数のスリットは、前記ディスク挿通用スリットを横切るように形成したことを特徴とするものであり、
叉、第２態様は、
ディスクを装置内に出し入れするディスク挿入排出口を設けたディスクドライブ装置において、
前記ディスクに対向するように、前記ディスク挿入排出口の縁部に、凸部を設け、前記ディスクの挿入又は排出時に、前記ディスクが正規の位置からずれた場合に、前記凸部に前記ディスクが当接するように構成したことを特徴とするものであり、
叉、第３態様は、
前記凸部は、前記ディスクのデータ面の一部にのみ当接することを特徴とするものであり、
叉、第４態様は、
ディスクを装置内に出し入れするディスク挿入排出口を設けたディスクドライブ装置において、
前記ディスクに対向するように、前記ディスク挿入排出口の縁部近傍に、回転可能なローラを設け、前記ディスクの挿入又は排出時に、前記ディスクが正規の位置からずれた場合に、前記ローラは、前記ディスクの一部にのみ当接するように構成したことを特徴とするであり、
叉、第５態様は、
前記ローラは、前記ディスクのデータ面の一部にのみ当接することを特徴とするものである。
【０００９】
叉、本発明に係わる情報処理装置の第１態様は、
ディスクを装置内に出し入れするディスク挿入排出口近傍に目隠し用の布部材が設けられ、この布部材に、ディスクを挿通させるためのディスク挿通用スリットが、前記排出口の長手方向に沿って設けられた情報処理装置において、
前記ディスク挿通用スリットに直交する方向にスリットを複数設け、前記複数のスリットは、前記ディスク挿通用スリットを横切るように形成したことを特徴とするであり、
叉、第２態様は、
ディスクを装置内に出し入れするディスク挿入排出口を設けた情報処理装置において、
前記ディスクに対向するように、前記ディスク挿入排出口の縁部に、凸部を設け、前記ディスクの挿入又は排出時に、前記ディスクが正規の位置からずれた場合に、前記凸部に前記ディスクが当接するように構成したことを特徴とするものであり、
叉、第３態様は、
ディスクを装置内に出し入れするディスク挿入排出口を設けた情報処理装置において、
前記ディスクに対向するように、前記ディスク挿入排出口の縁部近傍に、ローラを設け、前記ディスクの挿入又は排出時に、前記ディスクが正規の位置からずれた場合に、前記ローラは、前記ディスクの一部にのみ当接するように構成したことを特徴とするものである。
【００１０】
【発明の実施の形態】
本発明は、ディスクドライブ装置のパネルに設けられたフェルトに縦スリットを設け、この縦スリットにより、フェルトをめくれ易くすることで、ディスクがフェルトを押し開き易くし、これにより、ディスクとフェルトとのひっかかり抵抗を少なくして、ディスクの挿入排出を容易に、且つ、確実に動作するようにしたものである。
【００１１】
また、ディスクドライブ装置のパネルに、傷防止用の突起を設け、ディスクのデータ面が、この突起以外に接触しないようにすることで、ディスクのデータ面に擦り傷が付くことがないようにしたものである。
【００１２】
【実施例】
以下に、本発明に係わるディスクドライブ装置及び情報処理装置の具体例を図面を参照しながら詳細に説明する。
【００１３】
（第１の具体例）
図１〜図７は、本発明に係わるディスクドライブ装置の第１の具体例の構造を示す図であって、これらの図には、
ＤＶＤ−ＲＯＭディスク等のディスク１をドライブ装置２内に出し入れするためのディスク挿入排出口３近傍に目隠し用の布部材４が設けられ。この布部材４に、ディスク１を挿通するためのスリット５が、前記排出口３の長手方向に沿って設けられたディスクドライブ装置において、
前記スリット５に直交する方向にスリット６を複数設けたことを特徴とするディスクドライブ装置が示され、
又、ディスク１を装置２内に出し入れするディスク挿入排出口３を設けたディスクドライブ装置において、
前記ディスク１に対向するように、前記ディスク挿入排出口３の縁部３ａに、凸部９を設けたことを特徴とするディスクドライブ装置が示されている。
【００１４】
この場合、前記凸部９は、前記ディスク１のデータ面の一部のみに当接するように構成されている。
【００１５】
以下に、第１の具体例を更に詳細に説明する。
【００１６】
本発明のディスクドライブ装置は、図１、図２に示すように、凸部９を形成したディスク１の傷防止用のパッチ１０と、ゴミ侵入防止・目隠し用のフェルト４と、ＤＶＤディスクの排出用の操作ボタン１３と、これらを組み付けるパネル１４とから構成される。
【００１７】
図２は、ディスクの傷防止用のパッチ１０の拡大図を示す。ディスクの傷防止用のパッチ１０の媒体接触面は、球Ｒからなる凸部９を形成して、力が加わっても変形しにくく、更に、ＤＶＤ−ＲＯＭディスク１より硬度が低い材料で作られ、パネル４のディスク挿入排出口３の縁部３ａに、ディスク１に対向するように取り付けられる。
【００１８】
図３は、ゴミ侵入防止・目隠し用のフェルト４の拡大図を示す。フェルト４は、ディスク挿通用の長い横スリット５と、この横スリット５に直交する複数の縦のスリット６を備えており、パネル１４の裏面に両面テープにて取り付けられる。フェルト４に設けた縦スリット６の目的は、ディスク１がフェルト４の横スリット５を押し開いて通る際に、フェルト４がディスク１の移動方向に倒れ易くし、ＤＶＤ−ＲＯＭドライブ装置の媒体排出力よりもディスク１とフェルト４とのひっかかり抵抗を少なくすることにある。
【００１９】
図４は、ディスクの傷防止用パッチ１０組み付け部分での断面図を示す。図４（ａ）に示すように、ディスクの傷防止用パッチ１０の球Ｒ部分が、パネル４の排出口３の縁部３ａよりも凸状に出っ張って取り付けられ、ＤＶＤ−ＲＯＭディスク１の挿入又は排出時、ＤＶＤ−ＲＯＭディスク１が正規の位置から曲がった場合、ディスク１のデータ面の一部のみが、突起９に当接し、ディスク１のデータ面全面が排出口３の縁部３ａに当たらないように構成している。
【００２０】
一方、従来のパネル構造の場合、図４（ｂ）に示すように、傷防止用パッチ１がなく、このため、ディスク１の挿入又は排出時に、ディスクが正規の位置からずれた場合、ディスクのデータ面が、直接パネル４の挿入排出口３の縁部３ａに接触する。
【００２１】
図５は、本発明の傷防止パネル１４をＤＶＤ−ＲＯＭ装置２に取り付けた状態を示す図である。ＤＶＤ−ＲＯＭ挿入排出口３に設けられたフェルト４には、縦スリット６が設けられ、また、ディスク傷防止用のパッチ１０も備えている。
【００２２】
図６は、本発明の装置及び従来の装置でのＤＶＤ−ＲＯＭディスクの排出途中の図である。
【００２３】
図６（ａ）に示した本発明の装置の場合、ＤＶＤ−ＲＯＭディスクを排出する時、フェルト４に形成した縦スリット６の効果により、ディスク１がフェルト４を押し開いて通る際に、フェルト４が縦スリット部６から倒れ、フェルト４のめくれが抑制される。
【００２４】
一方、図６（ｂ）に示した従来のドライブ装置の場合、ディスク１の位置が、図６（ａ）の位置と同じであるにもかかわらず、ＤＶＤ−ＲＯＭディスクの排出時、フェルト４に縦スリットがないので、フェルト４の広い範囲でめくれが発生している。フェルト４がディスクの外円周端でめくれた場合、外円周端（縁）にざらつきの残るような新しい媒体との組み合わせで、ざらつきとめくれ部分が摩擦抵抗になり、媒体排出力よりもディスク１とフェルト４とのひっかかりが大きくなる場合があり、既に述べたような不具合が発生する場合がある。
【００２５】
図７は、本発明のディスクドライブ装置を用いた情報処理装置の一例であるノート型のパーソナルコンピュータ２０を示す図である。勿論、本発明を、据え置き型の情報処理装置に適用することも出来る。
【００２６】
（第２の具体例）
図８〜図９は、本発明に係わるディスクドライブ装置の第２の具体例の構造を示す図であって、これらの図には、
ディスク１を装置内に出し入れするディスク挿入排出口３を設けたディスクドライブ装置において、
前記ディスク１に対向するように、前記ディスク挿入排出口３の縁部３ａ近傍に、回転可能なローラ１５を設け、このローラ１５が、前記ディスク１の一部にのみ当接するように構成したことを特徴とするディスクドライブ装置が示されている。
【００２７】
この場合も、前記ローラ１５は、前記ディスク１のデータ面の一部にのみ当接するように構成している。
【００２８】
以下に、本発明の第２の具体例を詳細に説明する。
【００２９】
図８は、第１の具体例の傷防止用のパッチ１０をローラ１５に変更したものである。その他は、第１の具体例と同様の構成である。
【００３０】
図９は、傷防止用のローラ１５の拡大図を示す。傷防止用のローラ１５は、両側に回転軸１５ａを持ち、この軸１５ａがパネル２４に取り付けられるようになっている。なお、このローラ１５は、ＤＶＤ−ＲＯＭディスク１より硬度が低い材料で作られている。
【００３１】
図１０は、ローラ１５部分でのパネル２４の組立断面図である。ローラ１５を用いた第２の具体例の装置では、ローラ１５が、ＤＶＤ−ＲＯＭパネル２４の排出口３の縁部３ａよりも凸状に出っ張って取り付けられ、ディスク１の挿入又は排出時に、ＤＶＤ−ＲＯＭディスク１が正規の位置からずれた場合でも、ディスク１が、ローラ１５に当接し、ディスク１が排出口に当たらずに、ディスク１のデータ面を保護する様になっている。
【００３２】
ＤＶＤ−ＲＯＭディスク１の挿入又は排出時、ディスク１がローラ１５に当たると、ディスク１の動きに従うように、ローラ１５が軸１５ａを中心に回転するから、ディスク１のデータ面上にこすれによる擦り傷が付かない。
【００３３】
【発明の効果】
本発明に係わるディスクドライブ装置は、上述のように構成したので、以下のような効果を奏する。
【００３４】
第１の効果は、自動挿入排出可能なＤＶＤ−ＲＯＭドライブ装置に、外円周端の仕上げが非常に粗く、縁にざらつきの残るような新しい媒体を挿入した場合でも、媒体がＤＶＤ−ＲＯＭ挿入排出口にあるドライブパネルのフェルトを押し開いて通る際に、ＤＶＤ−ＲＯＭドライブ装置の媒体排出力よりも媒体とフェルトとのひっかかりが大きくならないので、媒体が排出せずに再度ドライブ内に戻るような不具合や、途中で停止するような不具合を防止することができる。
【００３５】
その理由は、フェルトに設けた縦スリットの効果により、媒体がフェルトを押し開いて通る際に、フェルトが縦スリット部のために倒れ、フェルトのめくれが抑制されるからである。
【００３６】
第２の効果は、ドライブ装置のパネルに媒体傷防止用のパッチを設けたので、媒体がパッチ以外に接触しなくなり、このために、媒体データ面に擦り傷が付くような不具合を防止することができる。
【図面の簡単な説明】
【図１】本発明に係わるディスクドライブ装置のパネルの分解斜視図である。
【図２】パネルに組み付けるパッチの拡大図である。
【図３】パネルに組み付けるフェルトの拡大図である。
【図４】（ａ）は、本発明のディスクドライブ装置のパネルの組立断面図、（ｂ）は、従来の装置の組立断面である。
【図５】本発明のＤＶＤ−ＲＯＭ装置の斜視図である。
【図６】（ａ）は、本発明のディスクドライブ装置の効果を説明する斜視図、（ｂ）は、従来のＤＶＤ−ＲＯＭ装置を説明する斜視図である。
【図７】本発明のディスクドライブ装置を有するノート型のパーソナルコンピュータの斜視図である。
【図８】本発明の第２の具体例のディスクドライブ装置のパネルの組立平面図である。
【図９】本発明の第２の具体例に用いられるローラの斜視図である。
【図１０】本発明の第２の具体例のディスクドライブ装置のパネルの組立断面図である。
【符号の説明】
１  ディスク
２  ディスクドライブ装置
３  ディスク挿入排出口
３ａ  ディスク挿入排出口の縁部
４  布部材
５  横スリット
６  縦スリット
９  凸部
１０  パッチ
１３  操作ボタン
１４、２４  パネル
１５  ローラ
１５ａ  ローラの回転軸
【図１】
0003583065.tif 000002
【図２】
0003583065.tif 000003
【図３】
0003583065.tif 000004
【図４】
0003583065.tif 000005
【図５】
0003583065.tif 000006
【図６】
0003583065.tif 000007
【図７】
0003583065.tif 000008
【図８】
0003583065.tif 000009
【図９】
0003583065.tif 000010
【図１０】
0003583065.tif 000011